(57)【要約】【課題】機体フレームの少なくとも一部を構成する伝動ケースにエンジンを取付支持する支持部を備え、耕耘作業機の少なくとも上方側を覆う耕耘カバーを設けるにあたり、構造を複雑化させること無く、伝動ケース側に耕耘カバーに取付けることができる歩行型移動農機を提供することを課題とする。【解決手段】本発明は、エンジン６からの動力を耕耘作業機３に伝動する伝動機構１４が内装された伝動ケース２によって機体フレーム１の少なくとも一部を構成し、耕耘作業機３の少なくとも上方側を覆う耕耘カバー７を設け、伝動ケース２における耕耘作業機３よりも上方位置にエンジン６を取付支持する支持部４を設けた歩行型移動農機において、前記支持部４から水平方向外側に向って取付座２７を一体的に延設し、該取付座２７に耕耘カバー７を取付ける。【選択図】図６
2011188784.tif 000002
【特許請求の範囲】
【請求項１】
エンジン（６）からの動力を耕耘作業機（３）に伝動する伝動機構（１４）が内装された伝動ケース（２）によって機体フレーム（１）の少なくとも一部を構成し、耕耘作業機（３）の少なくとも上方側を覆う耕耘カバー（７）を設け、伝動ケース（２）における耕耘作業機（３）よりも上方位置にエンジン（６）を取付支持する支持部（４）を設けた歩行型移動農機において、前記支持部（４）から水平方向外側に向って取付座（２７）を一体的に延設し、該取付座（２７）に耕耘カバー（７）を取付けた歩行型移動農機。
【請求項２】
耕耘カバー（７）がボルト固定可能なように前記取付座（２７）を形成し、該取付座（２７）に耕耘カバー（７）をボルト固定するにあたって、取っ手（２６）を共締めしてなる請求項１の歩行型移動農機。
【発明の詳細な説明】
【技術分野】
【０００１】
この発明は耕耘作業機を備えた歩行型移動農機に関する。
【背景技術】
【０００２】
エンジンからの動力を耕耘作業機に伝動する伝動機構が内装された伝動ケースによって機体フレームの少なくとも一部を構成し、耕耘作業機の少なくとも上方側を覆う耕耘カバーを設け、伝動ケースにおける耕耘作業機よりも上方位置にエンジンを取付支持する支持部を設け、構成を簡略化させた特許文献１に示す歩行型移動農機が公知になっている。
【先行技術文献】
【特許文献】
【０００３】
【特許文献１】特許第３４２０４５３号公報
【発明の概要】
【発明が解決しようとする課題】
【０００４】
しかし、上記文献の歩行型移動農機は、耕耘カバーを伝動ケース側に取付けるにあたり、支持部とは別にブラケットを設け、該ブラケットを介して、耕耘カバーを伝動ケース側に取付けており、部品点数が増加して構造が複雑化している。
【０００５】
本発明は、機体フレームの少なくとも一部を構成する伝動ケースにエンジンを取付支持する支持部を備え、耕耘作業機の少なくとも上方側を覆う耕耘カバーを設けるにあたり、構造を複雑化させること無く、伝動ケース側に耕耘カバーを取付けることができる歩行型移動農機を提供することを課題とする。
【課題を解決するための手段】
【０００６】
上記課題を解決するため本発明は、第１に、エンジン６からの動力を耕耘作業機３に伝動する伝動機構１４が内装された伝動ケース２によって機体フレーム１の少なくとも一部を構成し、耕耘作業機３の少なくとも上方側を覆う耕耘カバー７を設け、伝動ケース２における耕耘作業機３よりも上方位置にエンジン６を取付支持する支持部４を設けた歩行型移動農機において、前記支持部４から水平方向外側に向って取付座２７を一体的に延設し、該取付座２７に耕耘カバー７を取付けたことを特徴としている。
【０００７】
第２に、耕耘カバー７がボルト固定可能なように前記取付座２７を形成し、該取付座２７に耕耘カバー７をボルト固定するにあたって、取っ手２６を共締めしてなることを特徴としている。
【発明の効果】
【０００８】
本発明の構成によれば、前記支持部から水平方向外側に向って取付座を一体的に延設し、該取付座に耕耘カバーを取付けるため、耕耘カバーを取付けるための部材を支持部とは別に設ける必要が無く、構造が簡略化されコストを低く抑えることが可能になる他、エンジンを支持する強度の高い支持部側に耕耘カバーを取付けるため、耕耘カバーの取付強度を向上させることができる。
【０００９】
また、耕耘カバーがボルト固定可能なように前記取付座を形成し、該取付座に耕耘カバーをボルト固定するにあたって、取っ手を共締めすることにより、取っ手を設けるために別途部材を設ける必要が無く、部品点数の増加を抑えて取っ手を設けることが可能になる。
【図面の簡単な説明】
【００１０】
【図１】本発明の歩行型移動農機を適用した歩行型管理機の側面図である。
【図２】本発明の歩行型移動農機を適用した歩行型管理機の平面図である。
【図３】本発明の歩行型移動農機を適用した歩行型管理機の正面図である。
【図４】本発明の歩行型移動農機を適用した歩行型管理機の上側斜視図である。
【図５】本発明の歩行型移動農機を適用した歩行型管理機の下側斜視図である。
【図６】耕耘カバー及びエンジンの伝動ケース側への取付構造を示す正面図である。
【発明を実施するための形態】
【００１１】
以下図示する例に基づき本発明の実施形態について説明する。
図１乃至５は、本発明の歩行型移動農機を適用した歩行型管理機の側面図、平面図、正、上側斜視図及び下側斜視図であり、図６は、耕耘カバー及びエンジンの伝動ケース側への取付構造を示す正面図である。
【００１２】
図示する歩行型管理機は、機体フレーム１の一部を構成する伝動ケース２と、伝動ケース２の下端部に回転自在に支持された左右方向の耕耘ロータリ（耕耘作業機）３と、伝動ケース２の上端部に形成された支持部４に下端側が支持されたエンジン６と、耕耘ロータリ３の上方側を覆って泥の飛散等を防止する耕耘カバー７と、機体フレーム１から後方斜め上方に延設されたハンドル８と、ハンドル８の基端部から上方に向って前方に屈曲形成された把持棒（把持部）９と、ハンドル８の基端部から下方に向って突出形成された抵抗棒１１とを備えている。
【００１３】
上記耕耘ロータリ３は、伝動ケース２の下端部から左右両側方に突出した左右方向のロータリ軸１２と、ロータリ軸１２に、その全長方向に沿って所定間隔毎に軸装されて該ロータリ軸１２と一体で回転する複数の耕耘爪１３とから構成されている。エンジン６からの動力が伝動ケース２内の伝動機構１４を介して上記ロータリ軸１２に伝動され、該ロータリ軸１２の軸回りに複数の耕耘爪１３を回転駆動させ、圃場における耕耘作業を行う。ちなみに、伝動機構１４は、上下方向の伝動軸１６と、伝動軸１６の下端部に配置されて上記ロータリ軸１２に該伝動軸１６の動力をギヤ伝動するギヤ機構（図示しない）とを備えている。
【００１４】
上記伝動ケース２は、伝動軸１６を収容する上下方向に延びる筒状の軸収容部２ａと、軸収容部２ａの下部から後側に一体的に形成されてギヤ機構が内装されるギヤ収容部２ｂとを備えている。
【００１５】
軸収容部２ａ内には伝動軸１６が軸回りに回転可能に支持され、ギヤ収容部２ｂ内には上記ロータリ軸１２の中途部が軸回りに回転可能に軸支され、この軸収容部２ａとギヤ収容部２ｂとは、内部が連接されて下方が開放されており、この下方側開放部分がケース蓋２ｃによって開閉可能に閉塞されている。ちなみに、ケース蓋２ｃを取外し、軸収容部２ａ及びギヤ収容部２ｂ内の下方側を開放させて、伝動機構１４のメンテナンス等を行う。
【００１６】
また、軸収容部２ａから後方斜め上方に向ってリブ状の支持フレーム１７が一体的に延設されており、この支持フレーム１７と、伝動ケース２と、上述の支持部４とは、鉄やアルミ等、強度の高い金属製部材によって一体的に成形されて上述の機体フレーム１を構成している。
【００１７】
この支持フレーム１の最後方箇所の上端部には、ハンドル８、把持棒９及び抵抗棒１１の基端部を取付支持する複数の支持部１８，１９，２１が一体的に形成されている。具体的には、支持部１８，１９，２１の一つが、平断面視左右一方側が開放された半円弧状に形成されて上下方向に延びるハンドル支持部１８になり、一つが、平面視左右他方側が開放された半円弧形状に形成されて上下方向に延びる把持棒支持部１９になり、一つが、後方に向って斜め下方に延びる円筒状に成形されて後端側が開放された抵抗棒支持部２１になる。ちなみに、把持棒支持部１９はハンドル支持部１８の前側に隣接し、抵抗棒支持部２１はハンドル支持部１８の中途部から後方斜め下方に突出形成されている。
【００１８】
上記ハンドル８は、下側半部の棒状のハンドルフレーム２２と、上側半部のハンドル本体２３とから構成されており、ハンドルフレーム２２は、後方に向って上方傾斜する金属製（具体的には鉄製，アルミ製等）の丸パイプ状部材であって、その最前方箇所である下端部（基端部）が上述のハンドル支持部１８の内周側に開放側から嵌合されてボルト固定される一方で、ハンドル本体２３は、基端側から先端側に向って二股状に分かれて左右の各先端部にグリップ２３ａが形成されており、全体が前後回動調整可能となるように基端側がハンドルフレーム２２の先端側に支持されている。
【００１９】
この支持構造によって、ハンドル本体２３（ハンドル８）は、エンジン６の上方側に倒伏して収容される収納姿勢と、後方に向って斜め上方に突出する操作姿勢とに姿勢切換可能になり、操作姿勢で固定された状態で、操向操作具として機能する。
【００２０】
上記把持棒９は、金属製（具体的には鉄製，アルミ製等）の丸パイプを折り曲げ形成することにより構成され、中途部が上下方向に形成され、基端部から中途部に向って後方斜め上方に延びとともに、先端部が前方を向くように該先端部が中途部に対して下方に屈曲形成されており、把持棒９の基端部は、把持棒支持部１９の内周側に開放側から嵌合されてボルト固定されている。そして、ハンドル８を収容姿勢に切換えた状態で、該構成の把持棒９を把持することで、本歩行型管理機を容易に持ち運ぶことが可能になる。
【００２１】
上記抵抗棒１１は、後方に向って斜め下方に傾斜した金属製（具体的には鉄製，アルミ製）の鉄パイプであって、抵抗棒１１の前端部（基端部）に対して基端以外の部分である中途部及び先端部が上下方向に屈曲されおり、抵抗棒１１の中途部には接地輪２４が回転自在に支持されている。この抵抗棒２４の基端部は筒状の抵抗棒支持部２１に嵌合挿入されて固定されるが、この嵌合挿入の際に、軸回りに回動調整できる。
【００２２】
この軸回りの回動調整によって、抵抗棒１１は、中途部及び先端部が基端部に対して圃場面に近づく側に屈曲された作用姿勢と、遠ざかる非作用姿勢とに姿勢切換可能に構成されている。耕耘ロータリ３による耕耘作業を行う際、抵抗棒１１を作用姿勢で固定した場合には、接地輪２４が上方側を向いて圃場面から離間するとともに抵抗棒１１が圃場に挿入され、前進走行時における機体全体の姿勢が安定する一方で、抵抗棒１１を非作用姿勢で固定した場合には、接地輪２４が圃場面に回転自在可能な状態で接地するとともに該抵抗棒１１全体が圃場から離間した状態になる。
【００２３】
次に、図１乃至６に基づき、エンジン６の支持構造及び耕耘カバー７の取付構造について説明する。
耕耘カバー７は、硬質合成樹脂製のカバー体であって、フェンダーとして機能するものであり、全体が略フラットに形成されており、取っ手２６が取付固定されている。この耕耘カバー７の後部は、前部及び中途部に対して若干斜め下方に屈曲される他、耕耘カバー７の左右方向中央部は、左部及び右部に対して一段高く形成されている。
【００２４】
この耕耘カバー７の左右方向中央部には、機体フレーム１の伝動ケース２上端部及び支持フレーム１７上部を挿通させる切欠き状の通し部７ａが形成され、ハンドル８、把持棒９及び抵抗棒１１の基端部が取付支持される上述の複数の支持部１８，１９，２１と、エンジン６が支持される支持部４は耕耘カバー７の上面側に配されている。
【００２５】
この内、エンジン６を支持する支持部４は上記通し部７ａよりも広い左右幅を有する方形プレート状に形成され、その四隅からは、それぞれ水平方向外側に向って取付座２７が一体的に延設されており、この取付座２７も支持部４とともに金属製部材によって一体的に成形される。
【００２６】
エンジン６の下端部側に一体形成された接合部２８は平面視で支持部４と略同一の方形状に成形され、この接合部２８の下端と支持部４の上端とを一体的に接合させ、両者をボルト固定する。具体的には、両者の各四隅に穿設されたボルト挿入部４ａ，２８ａによって一体形成されるボルト穴に下方側からボルト２９を係合挿入し、この４つのボルト２９を締付けることにより、エンジン６を支持部４に支持固定する。この際、４つのボルト２９を、それぞれ挿通されるとともに、該ボルト２９のボルトヘッド２９ａの略全体が収容される収容孔７ｂが、耕耘カバー７にボルト２９の数と同数（図示する例では４つ）穿設されている。
【００２７】
また、図６に示すように、耕耘カバー７の上面側を支持部４及び取付座２７の下面に面状に当接させた状態で、耕耘カバー７は取付座２７にボルト固定されている。具体的には、４つの各取付座２７に取付座側挿通孔２７ａが形成されるとともに、耕耘カバー７における取付座側挿通孔２７ａと一致する箇所にも耕耘カバー側挿通孔７ｃが形成され、この取付座側挿通孔２７ａと耕耘カバー側挿通孔７ｃは、単一のボルト挿通孔を形成し、該４つの各ボルト挿通孔に下方側からボルト３１を挿通させ、取付座２７から突出した各ボルト３１の先端部にナット３２を係合させ、ボルト締めすることにより、耕耘カバー７を、支持部４及び４つの取付座２７に締着固定して取付ける。
【００２８】
さらに、耕耘カバー７の取付座２７へのボルト固定にあたっては、上述した取っ手２６が共締めされている。具体的には、取っ手２６が、平面視Ｕ字状の取っ手本体２６ａと、水平な方形状プレートであって取っ手本体２６ａの開放側に一体的に連結される取付部２６ｂとから構成されており、平面視において、この取付部２６ｂの四隅を、４つの取付座２７の位置と一致させた状態で、該取付部２７、耕耘カバー７及び取付座２７に上述のボルト３１を挿通させ、共締めする。このように共締めされた際、取っ手本体２６ａは、耕耘カバー７の前端部における左右方向中央部に位置した状態になる。
【００２９】
ちなみに、図２及び４に示すように、耕耘カバー７には、上記支持部４及び取付座２７の下端側を収容するように下方が窪んだ凹部７ｄが形成されており、支持部４に耕耘カバー７をボルト固定させた際、支持部４によって、耕耘カバー７の上面側に必要以上の凹凸が形成されるのを防止している。これに加えて、図６に示すように、取付座２７にも各ナットを収容する凹部２７ｂが形成され、必要以上に凹凸が形成されるのを抑制している。
【００３０】
次に、図６に基づき、伝動軸１６への動力伝動構成について説明する。
エンジン６からは下方に向って上下方向の出力軸３３が突出しており、該出力軸３３はエンジン６で発生させた動力によって軸回りに回転駆動される。この出力軸３３の突出端部である下端部に設けられた円盤状の遠心クラッチ（クラッチ）３４と、遠心クラッチ３４が嵌合挿入されるように遠心クラッチ３４側（具体的には上方側）が開放された筒状のクラッチドラム３６とによって、伝動軸１６にエンジン動力が断続伝動される。
【００３１】
具体的には、伝動軸１６の上端にクラッチドラム３６が一体回転するように取付固定されており、該クラッチドラム３６に嵌合挿入された遠心クラッチ３４がエンジン動力によって所定回転数以上で回転されると、遠心力によって該遠心クラッチ３４の径が拡大してその外周面がクラッチドラム３６の内周面に圧接され、クラッチドラム３６と遠心クラッチ３４とが一体的に回転し、伝動軸１６にエンジン動力が伝動される。
【００３２】
ちなみに、この遠心クラッチ３４、クラッチドラム３６及び伝動軸１６を設置するため、支持部４は上下に開放された円柱状のスペース（図示しない）を内部に有するとともに、エンジン６の接合部２８も、下方が開放された円柱状のスペース（図示しない）を内部に有し、この両スペースが、支持部４と接合部２８との連結固定時、一体的に連接されて上述の各種部材を設置するための設置スペース（図示しない）を形成するように、該支持部４及び接合部２８が形成されている。
【００３３】
以上のように構成される本歩行型管理機によれば、一体的に形成される機体フレーム１
に各種部材が効率的に取付けられ、全体の構成が簡略化され、製造コストを低く抑えることが容易になる他、取っ手２７と、把持棒９とを両手が把持することにより、運びも容易になる。
【００３４】
また、支持部４及び支持部４に一体成形された取付座２７によって、エンジン６及び耕耘カバー７を機体フレーム１側に取付支持しているが、両者は、共締めされてはおらず、各別のボルト２９，３１によってボルト固定されているため、支持部４側（具体的には支持部４及び取付座２７）から各別に取外し可能になり、メンテナンス性が向上する。
【符号の説明】
【００３５】
１  機体フレーム
２  伝動ケース
３  耕耘ロータリ（耕耘作業機）
４  支持部
６  エンジン
７  耕耘カバー（カバー体，フェンダー）
１４  伝動機構
２６  取っ手
２７  取付座
【図１】
2011188784.tif 000003
【図２】
2011188784.tif 000004
【図３】
2011188784.tif 000005
【図４】
2011188784.tif 000006
【図５】
2011188784.tif 000007
【図６】
2011188784.tif 000008